(57)【要約】【目的】各一回服用分の薬剤を患者が容易に服薬管理できる「薬剤カレンダー」を自動的に作成することができる薬剤分配システム、及びこの薬剤分配システムで不良品等を排除しつつ使用可能な服薬管理用ケースを提供する。【構成】複数の錠剤シートを保管する薬剤保管部と、患者の各一回服用分を各々収容できる各区画を備えた服薬管理用ケースと、患者の一回服用分に対応する薬剤を順次薬剤保管部から取り出す取出手段と、前記取出手段により順次取り出された各一回服用分を順次服薬管理用ケース中の各区画内に移動させる移動手段と、を備えた薬剤分配システム及び位置決め用マーク等を備えた服薬管理用ケースである。【選択図】    図１
2017093708.tif 000002
【特許請求の範囲】
【請求項１】
未使用の錠剤シート（「錠剤」はカプセル剤を含む）及び／又は裸状の錠剤を保管する薬剤保管部と、
患者が一回に服用すべき一回服用分を構成する複数種類及び／又は複数個の錠剤をそれぞれ配置可能な各区画が縦又は横方向に少なくとも１週間分の７個ずつ、及び横又は縦方向に少なくとも朝、昼及び夕の３個ずつ並べられて成る、患者が持ち運び可能な服薬管理用ケースであって、前記各区画はそれぞれ薬剤を出し入れするための開口部を有している服薬管理用ケースと、
患者の処方箋データに基づいて、当該患者の各一回服用分に対応する薬剤を、順次、前記薬剤保管部から取り出す取出手段と、
前記取出手段により順次取り出された各一回服用分を、それぞれ、順次、前記服薬管理用ケース中の各区画内に移動させる移動手段と、
を備えた薬剤分配システム。
【請求項２】
前記取出手段は、前記取り出す過程で前記薬剤保管部に保管された錠剤シートから内部の錠剤を除包し、この除包して得られた裸状の錠剤から成る各一回服用分を、順次、前記移動手段に供給するものである請求項１に記載の薬剤分配システム。
【請求項３】
前記服薬管理用ケースは、前記各区画の上方に開口部が備えられ、前記各区画は仕切部材により平面格子状に互いに仕切られて成る又は前記各区画はそれぞれ凹部状に形成されて成るものであり、
前記移動手段は、前記取出手段により取り出された各一回服用分を、順次、自らの内部に取り込み、自らの全部又は一部を前記服薬管理用ケース中の未だ一回服用分が配置されていない区画の上に移動させ、前記一回服用分を前記区画の上方から前記開口部を介して前記区画内に落下又は移動させるものである請求項１又は２に記載の薬剤分配システム。
【請求項４】
前記一回服用分が内部に移動され配置された後の前記区画の開口部を、前記一回服用分の薬剤が外部に出ないように閉塞する閉塞手段をさらに備えた請求項１から３までのいずれかに記載の薬剤分配システム。
【請求項５】
前記服薬管理用ケース中の区画に一回服用分の薬剤が収容された後、当該区画内の画像を取得する区画画像取得手段と、
前記区画画像取得手段により取得された区画内の画像から、当該区画内に配置された薬剤の数及び形状又は銘柄に関する情報を取得する薬剤認識手段と、
前記薬剤認識手段からの情報と各患者が服用すべき各一回服用分の薬剤の情報とに基づいて、前記区画内に配置された薬剤の適否を判定する判定手段と、
を備えた請求項１から４までのいずれかに記載の薬剤分配システム。
【請求項６】
前記服薬管理ケースの各区画内の少なくとも薬剤が配置される部分が、黒色又は錠剤とのコントラストが大きな色となるように構成されている請求項５に記載の薬剤分配システム。
【請求項７】
前記服薬管理用ケースには、少なくとも３箇所に、前記薬剤認識手段による画像認識のための位置決め用マークが表示されており、
前記薬剤認識手段は、前記服薬管理用ケース中の前記位置決め用マークの位置に基づいて、各区画が前記服薬管理用ケース中のどの区画かを特定するものである請求項５又は６に記載の薬剤分配システム。
【請求項８】
前記服薬管理用ケースには、少なくとも３箇所に、前記薬剤認識手段による画像認識のための位置決め用マークが表示されており、
前記服薬管理用ケースに表示された前記位置決め用マークを検知するマーク検知手段（前記薬剤認識手段で実現されるものであってもよい）と、
前記マーク検知手段による検知結果に基づいて、前記服薬管理用ケースに前記位置決め用マークが表示されていないと判定されるときは前記取出手段又は前記移動手段を作動させないようにする制御手段と、を備えた請求項５又は６に記載の薬剤分配システム。
【請求項９】
前記服薬管理用ケースには所定のバーコードが表示されており、
前記バーコードを読み取るバーコード読取手段と、
前記バーコード読取手段による読取結果に基づいて、前記服薬管理用ケースに前記バーコードが表示されていないと判定されるときは前記取出手段又は前記移動手段を作動させないようにする制御手段と、を備えた請求項１から６までのいずれかに記載の薬剤分配システム。
【請求項１０】
前記服薬管理用ケースには所定の情報を記録したＩＣタグが備えられており、
前記ＩＣタグに記録された情報を読み取るＩＣタグ読取手段と、
前記ＩＣタグ読取手段による読取結果に基づいて、前記服薬管理用ケースに前記ＩＣタグが備えられていないと判定されるときは前記取出手段又は前記移動手段を作動させないようにする制御手段と、を備えた請求項１から６までのいずれかに記載の薬剤分配システム。
【請求項１１】
前記服薬管理用ケースには、その少なくとも１箇所に、前記服薬管理用ケースの前記移動手段に対する位置決め用の凹部、穴、凸部又は切欠きが備えられており、
前記服薬管理用ケースに備えられた前記位置決め用の凹部、穴、凸部又は切欠きを検知する凹部等検知手段と、
前記凹部等検知手段による検知結果に基づいて、前記服薬管理用ケースに前記位置決め用の凹部、穴、凸部又は切欠きが備えられていないと判定されるときは前記取出手段又は前記移動手段を作動させないようにする制御手段と、を備えた請求項１から６までのいずれかに記載の薬剤分配システム。
【請求項１２】
患者が一回に服用すべき一回服用分を構成する複数種類及び／又は複数個の錠剤（「錠剤」はカプセル剤を含む）をそれぞれ配置可能な各区画が縦又は横方向に少なくとも１週間分の７個ずつ、及び横又は縦方向に少なくとも朝、昼及び夕の３個ずつ並べられて成り、患者が持ち運び可能であり、前記各区画はそれぞれ薬剤を出し入れするための開口部を有している服薬管理用ケースであって、
未使用の錠剤シート及び／又は裸状の錠剤を保管する薬剤保管部と、患者の処方箋データに基づいて、当該患者の一回服用分に対応する薬剤を、前記薬剤保管部から順次取り出す取出手段と、前記取出手段により順次取り出された一回服用分を、順次、前記各区画内に移動させる移動手段と、前記服薬管理用ケースに、画像認識の際に各区画を他の区画と区別して認識するための位置決め用マークが表示されていることを検知するマーク検知手段と、前記マーク検知手段による検知結果に基づいて前記取出手段又は前記移動手段を作動させないようにする制御手段とを備えた薬剤分配システムにおいて使用され、少なくとも３箇所に、前記位置決め用マークが表示されている、服薬管理用ケース。
【請求項１３】
患者が一回に服用すべき一回服用分を構成する複数種類及び／又は複数個の錠剤（「錠剤」はカプセル剤を含む）をそれぞれ配置可能な各区画が縦又は横方向に少なくとも１週間分の７個ずつ、及び横又は縦方向に少なくとも朝、昼及び夕の３個ずつ並べられて成り、患者が持ち運び可能であり、前記各区画はそれぞれ薬剤を出し入れするための開口部を有している服薬管理用ケースであって、
未使用の錠剤シート及び／又は裸状の錠剤を保管する薬剤保管部と、患者の処方箋データに基づいて、当該患者の一回服用分に対応する薬剤を、前記薬剤保管部から順次取り出す取出手段と、前記取出手段により順次取り出された一回服用分を、順次、前記各区画内に移動させる移動手段と、前記服薬管理用ケースに表示された所定のバーコードを読み取るバーコード読取手段と、前記バーコード読取手段による読取結果に基づいて前記取出手段又は前記移動手段を作動させないようにする制御手段とを備えた薬剤分配システムにおいて使用され、少なくとも１箇所に、所定のバーコードが表示されている、服薬管理用ケース。
【請求項１４】
患者が一回に服用すべき一回服用分を構成する複数種類及び／又は複数個の錠剤（「錠剤」はカプセル剤を含む）をそれぞれ配置可能な各区画が縦又は横方向に少なくとも１週間分の７個ずつ、及び横又は縦方向に少なくとも朝、昼及び夕の３個ずつ並べられて成り、患者が持ち運び可能であり、前記各区画はそれぞれ薬剤を出し入れするための開口部を有している服薬管理用ケースであって、
未使用の錠剤シート及び／又は裸状の錠剤を保管する薬剤保管部と、患者の処方箋データに基づいて、当該患者の一回服用分に対応する薬剤を、前記薬剤保管部から順次取り出す取出手段と、前記取出手段により順次取り出された一回服用分を、順次、前記服薬管理用ケース中の各区画内に移動させる移動手段と、前記服薬管理用ケースに備えられたＩＣタグに記録された情報を読み取るＩＣタグ読取手段と、前記ＩＣタグ読取手段による読取結果に基づいて前記取出手段又は前記移動手段を作動させないようにする制御手段とを備えた薬剤分配システムにおいて使用され、所定の情報を記録したＩＣタグが備えられている、服薬管理用ケース。
【請求項１５】
患者が一回に服用すべき一回服用分を構成する複数種類及び／又は複数個の錠剤（「錠剤」はカプセル剤を含む）をそれぞれ配置可能な各区画が縦又は横方向に少なくとも１週間分の７個ずつ、及び横又は縦方向に少なくとも朝、昼及び夕の３個ずつ並べられて成り、患者が持ち運び可能であり、前記各区画はそれぞれ薬剤を出し入れするための開口部を有している服薬管理用ケースであって、
未使用の錠剤シート及び／又は裸状の錠剤を保管する薬剤保管部と、患者の処方箋データに基づいて、当該患者の一回服用分に対応する薬剤を、前記薬剤保管部から順次取り出す取出手段と、前記取出手段により順次取り出された一回服用分を、順次、前記各区画内に移動させる移動手段と、前記服薬管理用ケースに前記移動手段に対する位置決め用の凹部、穴、凸部又は切欠きが備えられていることを検知する凹部等検知手段と、前記凹部等検知手段による検知結果に基づいて前記取出手段又は前記移動手段を作動させないようにする制御手段とを備えた薬剤分配システムにおいて使用され、少なくとも１箇所に、前記位置決め用の凹部、穴、凸部又は切欠きが備えられている、服薬管理用ケース。
【発明の詳細な説明】
【技術分野】
【０００１】
本発明は患者が毎日の朝昼夕（又は朝昼夕夜）の服薬を各一回服用分毎に容易に管理することができる「お薬カレンダー」（服薬管理用ケース中に各一回服用分を所定数個別に収容させたもの）、及びこのような「お薬カレンダー」を自動的且つ効率的に作成するための薬剤分配システムに関する。
【背景技術】
【０００２】
従来より、図８に示すように、各患者の処方箋のデータに基づいてＰＴＰシートから必要な錠剤をコンピュータ制御で自動的に除包し取り出す錠剤除包装置を備え、この錠剤除包装置により複数種類のＰＴＰシートから取り出された各一包分（各一回服用分）を構成する複数の錠剤を、分包機（包装装置）に供給し、各一回服用分ずつ包装する分包システムが提案されている（特許文献１）。
【先行技術文献】
【特許文献】
【０００３】
【特許文献１】特開２０１４−１２１５２３号公報
【特許文献２】特開２００２−２８２３３７号公報
【発明の概要】
【発明が解決しようとする課題】
【０００４】
しかしながら、このような複数種類のＰＴＰシートから各患者に必要な各一回服用分毎の薬剤を取り出して各一回服用分ずつそれぞれ包装するという分包システムは、一般の調剤薬局にとっては一包化の過程が自動化されるため便利ではあるがシステムの価格が高く導入が難しい、患者にとっては一包化されている点で便利ではあるが毎日の朝昼夕の３回（又は朝昼夕夜の４回）の服薬管理が難しく飲み忘れが生じてしまうことを解決できないという問題があった。
【０００５】
他方、従来より、図９に示すような服薬管理用ケース（お薬カレンダー用のケース）が提案又は市販されている。この服薬管理用ケースは、例えば、図９に示すように、各一回服用分の薬剤（裸状の錠剤が包装され一包化された一回服用分でもよいし、一回服用分に対応するだけの分量に切断された各ＰＴＰシートに入れられた状態の薬剤などから成る一回服用分でもよい）を収容可能な各区画（ポケット）が縦又は横方向に少なくとも１週間分の７個ずつ及び横又は縦方向に少なくとも朝、昼及び夕の３個（又は朝、昼、夕及び夜の４個）ずつ並べられ平面が図示のようにユーザーから見て縦方向（上下方向）に配置されるケース（硬いプラスチック製ケースでもよいし、柔らかい布製や樹脂フィルム製のケースでもよい）である。
【０００６】
しかしながら、このような服薬管理用ケースを使用するお薬カレンダーは、患者の服薬管理には便利であるが、各区画に各一回服用分をそれぞれ入れる手作業が煩雑であるなどの問題があった。
【０００７】
本発明はこのような従来技術の問題点に着目して為されたものであって、各一回服用分の薬剤を所定期間、患者が飲み忘れなく容易に服薬管理することができる「薬剤カレンダー」を自動的に且つ効率的に作成することができる薬剤分配システム、及びこのような薬剤分配システムで使用されるのに適した服薬管理用ケースを提供することを目的とする。
【課題を解決するための手段】
【０００８】
以上のような課題を解決するための本発明による薬剤分配システムは、未使用の錠剤シート（「錠剤」はカプセル剤を含む）及び／又は裸状の錠剤を保管する薬剤保管部と、患者が一回に服用すべき一回服用分を構成する複数種類及び／又は複数個の錠剤をそれぞれ配置可能な各区画が縦又は横方向に少なくとも１週間分の７個ずつ、及び横又は縦方向に少なくとも朝、昼及び夕の３個ずつ並べられて成る、患者が持ち運び可能な服薬管理用ケースであって、前記各区画はそれぞれ薬剤を出し入れするための開口部を有している服薬管理用ケースと、患者の処方箋データに基づいて、当該患者の各一回服用分に対応する薬剤を、順次、前記薬剤保管部から取り出す取出手段と、前記取出手段により順次取り出された各一回服用分を、それぞれ、順次、前記服薬管理用ケース中の各区画内に移動させる移動手段と、を備えたものである。
【０００９】
また、本発明による薬剤分配システムにおいて、前記取出手段は、前記取り出す過程で前記薬剤保管部に保管された錠剤シートから内部の錠剤を除包し、この除包して得られた裸状の錠剤から成る各一回服用分を、順次、前記移動手段に供給するものであってもよい。
【００１０】
また、本発明による薬剤分配システムにおいて、前記服薬管理用ケースは、前記各区画の上方に開口部が備えられ、前記各区画は仕切部材により平面格子状に互いに仕切られて成る又は前記各区画はそれぞれ凹部状に形成されて成るものであり、前記移動手段は、前記取出手段により取り出された各一回服用分を、順次、自らの内部に取り込み、自らの全部又は一部を前記服薬管理用ケース中の未だ一回服用分が配置されていない区画の上に移動させ、前記一回服用分を前記区画の上方から前記開口部を介して前記区画内に落下又は移動させるものであってもよい。
【００１１】
また、本発明による薬剤分配システムにおいては、さらに、前記一回服用分が内部に移動され配置（収容）された後の前記区画の開口部を、前記一回服用分の薬剤が外部に出ないように閉塞する閉塞手段を備えるようにしてもよい。
【００１２】
また、本発明による薬剤分配システムは、前記服薬管理用ケース中の区画に一回服用分の薬剤が収容された後、当該区画内の画像を取得する区画画像取得手段と、前記区画画像取得手段により取得された区画内の画像から、当該区画内に配置された薬剤の数及び形状又は銘柄に関する情報を取得する薬剤認識手段と、前記薬剤認識手段からの情報と各患者が服用すべき各一回服用分の薬剤の情報（処方箋情報などから得られる情報）とに基づいて、前記区画内に配置された薬剤の適否を判定する判定手段とを備えたものであってもよい。
【００１３】
また、本発明による薬剤分配システムにおいては、前記服薬管理ケースの各区画内の少なくとも薬剤が配置される部分が、黒色又は錠剤とのコントラストが大きな色となるように構成されていてもよい。
【００１４】
また、本発明による薬剤分配システムは、前記服薬管理用ケースの少なくとも３箇所に、前記薬剤認識手段による画像認識のための位置決め用マークが表示されており、前記薬剤認識手段は、前記服薬管理用ケース中の前記位置決め用マークの位置に基づいて、各区画が前記服薬管理用ケース中のどの区画かを特定するものであってもよい。
【００１５】
また、本発明による薬剤分配システムは、前記服薬管理用ケースの少なくとも３箇所に、前記薬剤認識手段による画像認識のための位置決め用マークが表示されており、前記服薬管理用ケースに表示された前記位置決め用マークを検知するマーク検知手段（前記薬剤認識手段で兼用されるものであってもよい）と、前記マーク検知手段による検知結果に基づいて、前記服薬管理用ケースに前記位置決め用マークが表示されていないと判定されるときは前記取出手段又は前記移動手段を作動させないようにする制御手段とを備えたものであってもよい。
【００１６】
また、本発明による薬剤分配システムは、前記服薬管理用ケースに所定のバーコードが表示されており、前記バーコードを読み取るバーコード読取手段と、前記バーコード読取手段による読取結果に基づいて、前記服薬管理用ケースに前記バーコードが表示されていないと判定されるときは前記取出手段又は前記移動手段を作動させないようにする制御手段とを備えたものであってもよい。
【００１７】
また、本発明による薬剤分配システムは、前記服薬管理用ケースに所定の情報を記録したＩＣタグが備えられており、前記ＩＣタグに記録された情報を読み取るＩＣタグ読取手段と、前記ＩＣタグ読取手段による読取結果に基づいて、前記服薬管理用ケースに前記ＩＣタグが備えられていないと判定されるときは前記取出手段又は前記移動手段を作動させないようにする制御手段とを備えたものであってもよい。
【００１８】
また、本発明による薬剤分配システムは、前記服薬管理用ケースの少なくとも１箇所に、前記服薬管理用ケースを前記移動手段に対して位置決めするための凹部、穴、凸部又は切欠きが備えられており、前記服薬管理用ケースに備えられた前記位置決め用の凹部、穴、凸部又は切欠きを検知する凹部等検知手段と、前記凹部等検知手段による検知結果に基づいて、前記服薬管理用ケースに前記位置決め用の凹部、穴、凸部又は切欠きが備えられていないと判定されるときは前記取出手段又は前記移動手段を作動させないようにする制御手段とを備えたものであってもよい。
【００１９】
また、本発明による薬剤分配システムで使用され又は作成されるのに適した服薬管理用ケースは、患者が一回に服用すべき一回服用分を構成する複数種類及び／又は複数個の錠剤（「錠剤」はカプセル剤を含む）をそれぞれ配置可能な各区画が縦又は横方向に少なくとも１週間分の７個ずつ、及び横又は縦方向に少なくとも朝、昼及び夕の３個ずつ並べられて成り、患者が持ち運び可能であり、前記各区画はそれぞれ薬剤を出し入れするための開口部を有している服薬管理用ケースであって、未使用の錠剤シート及び／又は裸状の錠剤を保管する薬剤保管部と、患者の処方箋データに基づいて、当該患者の一回服用分に対応する薬剤を、前記薬剤保管部から順次取り出す取出手段と、前記取出手段により順次取り出された一回服用分を、順次、前記各区画内に移動させる移動手段と、前記服薬管理用ケースに、画像認識の際に各区画を他の区画と区別して認識するための位置決め用マークが表示されていることを検知するマーク検知手段と、前記マーク検知手段による検知結果に基づいて前記取出手段又は前記移動手段を作動させないようにする制御手段とを備えた薬剤分配システムにおいて使用され、少なくとも３箇所に、前記位置決め用マークが表示されているものである。
【００２０】
また、本発明による薬剤分配システムで使用され又は作成されるのに適した服薬管理用ケースは、患者が一回に服用すべき一回服用分を構成する複数種類及び／又は複数個の錠剤（「錠剤」はカプセル剤を含む）をそれぞれ配置可能な各区画が縦又は横方向に少なくとも１週間分の７個ずつ、及び横又は縦方向に少なくとも朝、昼及び夕の３個ずつ並べられて成り、患者が持ち運び可能であり、前記各区画はそれぞれ薬剤を出し入れするための開口部を有している服薬管理用ケースであって、未使用の錠剤シート及び／又は裸状の錠剤を保管する薬剤保管部と、患者の処方箋データに基づいて、当該患者の一回服用分に対応する薬剤を、前記薬剤保管部から順次取り出す取出手段と、前記取出手段により順次取り出された一回服用分を、順次、前記各区画内に移動させる移動手段と、前記服薬管理用ケースに表示された所定のバーコードを読み取るバーコード読取手段と、前記バーコード読取手段による読取結果に基づいて前記取出手段又は前記移動手段を作動させないようにする制御手段とを備えた薬剤分配システムにおいて使用され、少なくとも１箇所に所定のバーコードが表示されているものである。
【００２１】
また、本発明による薬剤分配システムで使用され又は作成されるのに適した服薬管理用ケースは、患者が一回に服用すべき一回服用分を構成する複数種類及び／又は複数個の錠剤（「錠剤」はカプセル剤を含む）をそれぞれ配置可能な各区画が縦又は横方向に少なくとも１週間分の７個ずつ、及び横又は縦方向に少なくとも朝、昼及び夕の３個ずつ並べられて成り、患者が持ち運び可能であり、前記各区画はそれぞれ薬剤を出し入れするための開口部を有している服薬管理用ケースであって、未使用の錠剤シート及び／又は裸状の錠剤を保管する薬剤保管部と、患者の処方箋データに基づいて、当該患者の一回服用分に対応する薬剤を、前記薬剤保管部から順次取り出す取出手段と、前記取出手段により順次取り出された一回服用分を、順次、前記服薬管理用ケース中の各区画内に移動させる移動手段と、前記服薬管理用ケースに備えられたＩＣタグに記録された情報を読み取るＩＣタグ読取手段と、前記ＩＣタグ読取手段による読取結果に基づいて前記取出手段又は前記移動手段を作動させないようにする制御手段とを備えた薬剤分配システムにおいて使用され、所定の情報を記録したＩＣタグが備えられているものである。
【００２２】
さらに、本発明による薬剤分配システムで使用され又は作成されるのに適した服薬管理用ケースは、患者が一回に服用すべき一回服用分を構成する複数種類及び／又は複数個の錠剤（「錠剤」はカプセル剤を含む）をそれぞれ配置可能な各区画が縦又は横方向に少なくとも１週間分の７個ずつ、及び横又は縦方向に少なくとも朝、昼及び夕の３個ずつ並べられて成り、患者が持ち運び可能であり、前記各区画はそれぞれ薬剤を出し入れするための開口部を有している服薬管理用ケースであって、未使用の錠剤シート及び／又は裸状の錠剤を保管する薬剤保管部と、患者の処方箋データに基づいて、当該患者の一回服用分に対応する薬剤を、前記薬剤保管部から順次取り出す取出手段と、前記取出手段により順次取り出された一回服用分を、順次、前記各区画内に移動させる移動手段と、前記服薬管理用ケースに、前記服薬管理用ケースの前記移動手段に対する位置決め用の凹部、穴、凸部又は切欠きが備えられていることを検知する凹部等検知手段と、前記凹部等検知手段による検知結果に基づいて前記取出手段又は前記移動手段を作動させないようにする制御手段とを備えた薬剤分配システムにおいて使用され、少なくとも１箇所に、前記位置決め用の凹部、穴、凸部又は切欠きが備えられ（形成され又は外付けされ）ているものである。
【発明の効果】
【００２３】
本発明によれば、前記取出手段が薬剤収容部から患者の一回服用分の薬剤を順次それぞれ取り出し、前記移動手段が前記取り出された一回服用分を順次、前記服薬管理用ケース中の各区画に移動、配置するようにしたので、患者が自らの服薬を容易に管理でき且つ全体を容易に持ち運ぶことができる「お薬カレンダー」（各一回服用分の薬剤が、曜日及び朝昼夕毎に容易に管理できるように、服薬管理用ケースの全ての各区画内に配置・収容されている、お薬カレンダー）を、自動的かつ効率的に作成することができる。
【００２４】
また、本発明において、前記取出手段が、前記取り出しの過程で前記薬剤保管部に保管された各錠剤シートから内部の各錠剤を除包するようにし（前記取出手段がそのような除包手段を含むようにし）、前記除包して得られた裸状の錠剤から成る各一回服用分を順次前記移動手段に供給するようにしたときは、裸状の錠剤から成る各一回服用分が前記服薬管理用ケースの各区画内にそれぞれ配置されるので、患者は毎回の服薬をより容易に行うことができる。
【００２５】
また、本発明において、前記服薬管理用ケースを各区画の上方に開口部が備えられたものとして構成し、前記移動手段を各一回服用分を順次、前記服薬管理用ケース中の各区画の上方から前記開口部を介して各区画内に落下又は移動させるものとしたときは、前記取出手段が取り出した各一回服用分を前記服薬管理用ケースの各区画内へ移動し配置する動作を、極めて効率的に行えるようになる。
【００２６】
また、本発明において、前記一回服用分が内部に移動され配置（収容）された後に前記閉塞手段が前記一回服用分が配置された区画をフィルムやシートなどで閉塞するようにしたときは、「お薬カレンダー」の各区画内の薬剤が外部に容易に飛び出したり脱落したりするおそれが無くなるので、患者の利便性を高めることができる。
【００２７】
また、本発明において、前記区画画像取得手段が前記服薬管理用ケース中の区画内に一回服用分が収容された後の当該区画内の画像を取得し、前記薬剤認識手段が前記区画内の画像から当該区画内の薬剤の数及び形状又は銘柄を取得し、前記判定手段が前記取得された前記各区画内の薬剤の数及び形状又は銘柄と各患者が服用すべき一回服用分の薬剤の情報（患者の処方箋などから得られる情報）とに基づいて、前記区画内に配置された薬剤の適否を各区画毎に判定するようにしたときは、前記取出手段及び移動手段による一回服用分の前記区画内への移動及び配置動作が適正に行われたかどうかをコンピュータで効率的に且つ正確に検査することができ、これによりその後に行われる薬剤師による正式な監査を有効に支援することができる。
【００２８】
また、本発明において、前記服薬管理ケースの各区画の少なくとも薬剤が配置される部分を、黒色などの、錠剤とのコントラストが大きな色となるように形成したときは、前記区画画像取得手段による前記服薬管理ケース中の各区画内の鮮明な画像の取得が可能になり、前記薬剤認識手段による前記画像から前記各区画内の薬剤の数及び形状又は銘柄の正確な取得が可能になる。
【００２９】
また、本発明において、前記服薬管理用ケースの複数箇所に、前記服薬管理用ケースの位置決め用マークを表示するようにしたときは、前記移動手段による各一回服用分の前記各区画内への移動及び配置を、前記位置決め用マークを基準にして正確に行えるようになる。また、前記服薬管理用ケースの複数箇所に、前記服薬管理用ケースの位置決め用マーク（各区画の位置決め用マーク）を表示するようにしたときは、前記薬剤認識手段が各区画内の薬剤の数及び形状又は銘柄などの情報を取得する際に、前記服薬管理用ケースの位置決め用マークを各区画の位置を特定するためのマークとして利用して、当該の区画が前記服薬管理用ケースの各区画中のどの区画かを容易に特定できるようになる。
【００３０】
また、本発明において、前記服薬管理用ケースの複数箇所に、前記服薬管理用ケースの位置決め用マークを表示するようにし、前記制御手段が、前記服薬管理用ケースに前記位置決めマークが表示されていないと判定したときは、前記取出手段又は前記移動手段を作動させないようにする場合は、「前記位置決めマークが表示されていない服薬管理用ケースが装置にセットされたときでも各一回服用分が前記各区画内に移動、配置されてしまい、その結果、前記各区画内への各一回服用分の移動、配置が不正確に行われてしまうという不都合」を、防止することができる。また本発明において、前記服薬管理用ケースの複数箇所に、前記服薬管理用ケースの位置決め用マークを表示するようにし、前記制御手段が、前記位置決めマークが表示されていないと判定したときは前記薬剤認識手段を作動させないようにする場合は、「前記位置決めマークが表示されていない服薬管理用ケースが装置にセットされたときでも前記各区画の位置が正確に特定できないまま各区画内の薬剤の数及び形状又は銘柄等の適正性が不完全に検査されてしまうという不都合」を、防止することができる。
【００３１】
また、本発明において、前記服薬管理用ケースに所定のバーコードを表示するようにし、前記制御手段が、服薬管理用ケースに前記バーコードが表示されていないと判定したときは前記取出手段又は前記移動手段を作動させないようにする場合は、「前記バーコードが表示されていない服薬管理用ケースが装置にセットされたときでも各一回服用分が前記服薬管理用ケース中の各区画内に移動、配置するようにシステムが作動してしまい各区画への各一回服用分の移動、配置が不正確に行われてしまうという不都合」を、防止することができる。
【００３２】
また、本発明において、前記服薬管理用ケースに所定の情報を記録したＩＣタグを備える（取り付ける）ようにし、前記制御手段が、服薬管理用ケースに前記ＩＣタグが配置されていないと判定したときは前記取出手段又は前記移動手段を作動させないようにする場合は、「前記ＩＣタグが備えられていない服薬管理用ケースが装置にセットされたときでも各一回服用分が前記各区画内に移動、配置されてしまい、その結果、前記各区画内への各一回服用分の移動、配置が不正確に行われてしまうという不都合」を、防止することができる。
【００３３】
また、本発明において、前記服薬管理用ケースに前記服薬管理用ケースの前記移動手段に対する位置決め用の凹部、穴、凸部又は切欠きを備える（例えば形成し又は外付けする）ようにし、前記制御手段が、前記服薬管理用ケースに前記位置決め用の凹部、穴、凸部又は切欠きが備えられていないと判定したときは前記取出手段又は前記移動手段を作動させないようにする場合は、「前記位置決め用の凹部、穴、凸部又は切欠きが備えられていない服薬管理用ケースが装置にセットされたときでも各一回服用分が前記各区画内に移動、配置されてしまい、その結果、前記各区画内への各一回服用分の移動、配置が不正確に行われてしまうという不都合」を、防止することができる。
【図面の簡単な説明】
【００３４】
【図１】本発明の実施形態１に係る、調剤薬局に設置される薬剤分配システムの全体構成を示す概略図である。
【図２】本実施形態１に含まれる服薬管理用ケースを示す斜視図である。
【図３】本実施形態１の動作を説明するための図である。
【図４】本発明の実施形態４で使用される服薬管理用ケースを示す平面図である。
【図５】本発明の実施形態５を説明するための図である。
【図６】本発明の実施形態６を説明するための図である。
【図７】本発明の実施形態７を説明するための図である。
【図８】従来より提案されている薬剤分包システムを示す図である。
【図９】従来より提案されている服薬管理用ケースの一例を示す図である。
【発明を実施するための形態】
【００３５】
〔第１の実施形態〕
以下、本発明の実施の形態を図面を用いて説明する。図１は、本発明の実施形態１に係る、調剤薬局に設置される薬剤分配システムの全体構成を示す概略図、図２は図１の服薬管理用ケースを示す斜視図である。
【００３６】
図１において、１は患者の処方箋情報を読み取る処方箋読取部（スキャナ及び文字認識装置）、２は前記処方箋読取部１からの情報に基づいて当該患者の一回服用分に対応する薬剤の情報を取得するなどの動作を行う、パコソンなどで構成される制御部、３は複数銘柄のＰＴＰシート４を各銘柄毎に別々に複数枚ずつ収容・保管しておく薬剤保管部、５は前記制御部２からの情報に基づいて前記薬剤保管部３中の複数のＰＴＰシート４から前記患者の一回服用分に対応する複数銘柄の錠剤を順次取り出す取出除包部である。前記取出除包部５は、前記薬剤保管部３から、対応する銘柄のＰＴＰシート４を順次引き出して除包し中身の裸状の錠剤４ａを取り出す機構により構成されている。なお複数の種類（銘柄）のＰＴＰシートをそれぞれ複数枚ずつ保管する箱の中から患者の一回服用分に対応する銘柄の１枚のＰＴＰシートを引き出す機構、及び当該引き出した１枚のＰＴＰシート中の一つのドーム状凸部（ポケット）を上方から押し出し除包して中身の裸状の錠剤を取り出す機構は、いずれも従来より公知（例えば特許文献１参照）であるので詳細な説明は省略する。
【００３７】
また図１において、６は前記取出除包部５により取り出された複数個の裸状の錠剤４ａを順次受け入れて自らの底蓋６ａ上に集めるホッパーである。前記ホッパー６の底蓋６ａは、前記制御部２からの信号に基づいて所定のタイミングで開閉して自らの中央部分に開口部を形成可能な開閉機構（図示省略。例えば複数枚のシャッター羽根を円形状に組み合わせて成る絞り開閉シャッターなどから成る開閉機構）を備えている。
【００３８】
また図１において、７は、前記制御部２からの出力に基づいて、前記ホッパー６の底蓋６ａ上に集められた一回服用分を構成する複数個の裸状の錠剤４ａを、前記底蓋６ａの中央部分が開閉機構により開かれたタイミングで自らの容器（上方が開口部となっている容器）７ａ内に受け入れ、後記の服薬管理用ケース９中の各区画９ａのいずれかの上まで移動する移動部、７ｂは、前記ホッパー６から落下・移動した裸状の錠剤４ａが前記容器７ａ内において配置される底蓋であって、前記制御部２からの信号に基づいて所定のタイミングで中央部分が開閉する開閉機構（図示省略。例えば複数枚のシャッター羽根を円形状に組み合わせて成る絞り開閉シャッターなどから成る開閉機構）を備えた底蓋、８は前記移動部７を服薬管理用ケース９中の各区画９ａの上まで順次移動させる移動機構である（なお、前記移動機構の構成については、対象物を把持したアームで対象物を複数の場所に自在に駆動する産業用ロボットなど、公知の技術で容易に実現可能であるので説明を省略する）。
【００３９】
また図１において、９は、患者が毎日・毎回の服薬管理を行い易いように、各一回服用分毎の複数銘柄（複数種類）及び複数個の薬剤を、それぞれ別々の区画（収容部）内に配置可能な服薬管理用ケースである。すなわち、前記服薬管理用ケース９は、図２に示すように、患者の一回服用分を構成する複数銘柄及び複数個の裸状の錠剤４ａをそれぞれ配置可能な各区画９ａが、例えば図示横方向に１週間分の７個ずつ及び図示縦方向に少なくとも朝、昼及び夕の３個ずつ並ぶように、平面略格子状に配置される仕切板１１ａ，１１ｂにより仕切られることにより形成されている。前記服薬管理用ケース９は患者が容易に持ち運び可能（調剤薬局から持ち帰り可能）なサイズ及び重量に形成されている。また前記服薬管理用ケース９の各区画９ａの上方は錠剤を出し入れ可能な開口部となっている。
【００４０】
また図２に示すように、前記服薬管理用ケース９には、患者が服薬管理し易いように、図示上方部分１２ａには月、火、水・・・などの１週間の曜日を示す文字が表示され、図示左側部分１２ｂには朝、昼、夕などの１日の中での服薬時間帯を示す文字が表示されている。
【００４１】
また、図１において、１５は前記服薬管理用ケース９の各区画９ａの全てに一回服用分がそれぞれ移動配置されたとき、前記各区画９ａ内の画像（前記服薬管理用ケース９全体の画像でもよい）を取得して前記制御部２に送信するカメラである（なお前記カメラ１５は、後述するように、位置決め用マーク１３ａ〜１３ｃ、バーコード、及び、位置決め用の凹部２６ａ，２６ｂ、凹部、切欠き、穴又は凸部などを撮像、認識するためなどの目的でも使用される場合がある）。また、図１において、１６は前記制御部２からの信号に基づいて音、振動又は画像などから成る所定のアラームを発生するアラーム発生部、１７は複数種類（複数銘柄）の薬剤毎にその形状（各銘柄を示す刻印の形状を含む）や色などの情報を記録しておく薬剤データベース、１８は前記服薬管理用ケース９の各区画９ａの上方の開口部を内部の薬剤が排出されないように閉塞する閉塞機構である。
【００４２】
なお、本実施形態１において、前記服薬管理ケース９の各区画９ａの底部（裸状の錠剤４ａが配置される部分）は、裸状の錠剤４ａとのコントラストが大きな色、例えば黒色に形成（着色等）されており、これにより、前記カメラ１５が取得する画像から各裸状の錠剤４ａの数及び形状（各銘柄を示す刻印の形状などを含む）を正確に認識できるようにしている。
【００４３】
前記制御部２は、前記カメラ１５から受信した服薬管理用ケース９の画像（各区画内の画像）から、公知の画像認識技術により服薬管理用ケース９中の各区画９ａ内に配置された複数の裸状の錠剤４ａの数及び形状又は銘柄（裸状の錠剤の表面に形成された、錠剤の銘柄を示す刻印）などの情報を取得する。そして、前記制御部２は、前記取得した各区画９ａ内に配置された複数の裸状の錠剤４ａの数及び形状又は銘柄などの情報と、前記処方箋読取部１からの処方箋情報及び薬剤データベース１７からの情報から得られる当該患者の一回服用分の薬剤の数及び形状又は銘柄などの情報とを比較し、もし両者が一致しないときは、前記アラーム発生部１６を制御して所定のアラームを発生させる。
【００４４】
他方、制御部２は、前記比較の結果、前記服薬管理用ケース９中の各区画９ａ内の一回服用分の薬剤の数や形状又は銘柄などの情報と処方箋情報から得られる一回服用分の薬剤の数や形状又は銘柄などの情報とが一致するときは、前記服薬管理用ケース９の各区画９ａ内に一回服用分の薬剤が適正に配置されていると判断し、前記閉塞機構１８を制御して、前記服薬管理用ケース９の各区画９ａの上方の開口部の全てを、内部の薬剤が出ないように閉塞させる。これにより、服薬管理用ケース３４中の各区画３５ａから内部の薬剤が容易に外部に出てしまうことが防止される。
【００４５】
この場合の前記閉塞機構１８による閉塞は、例えば所定の閉塞用シート又はフィルムを前記服薬管理用ケース９の全ての各区画９ａの上方に一度に付着させ又は貼り付けることなどの方法により、行われる（なお、前記閉塞機構１８の構成については、例えば食品を収容した多数個のトレイの上に順次ラップフィルムを自動的に付着させて行く産業用ロボットなど、従来より公知の技術で実現可能なので説明を省略する）。この場合の閉塞のために使用される閉塞用シートとしては、例えばパラフィン紙、グラシン紙、又は食品用ラップフィルムなど様々な素材のシート又はフィルムを使用できる。また、前記閉塞用シートは、患者が指などで各区画９ａ毎に穴を容易に開けて内部の一回服用分の薬剤を取り出せるようなものであってもよい。また、このような閉塞シートとして、各区画９ａの開口部に対応する各位置に、患者が薬剤取出し用の穴を容易に開けられるミシン目（又は切れ目）を予め形成したシートを使用するようにしてもよい。
【００４６】
また本実施形態１においては、図２に示すように、前記服薬管理用ケース９の平面側の３箇所、例えば３つの各隅又はその近傍にそれぞれ、位置決め用マーク１３ａ〜１３ｃが印刷又は刻印等の方法により表示されている。この位置決め用マーク１３ａ〜１３ｃは、前記カメラ１５により撮像した服薬管理用ケース９の画像が制御部２に送られることにより、制御部２が認識する。前記制御部２は、認識した前記位置決め用マーク１３ａ〜１３ｃの位置に基づいて、前記服薬管理用ケース９とその中の各区画９ａ同士の相互の位置関係を特定し、前記移動部７が正確に各区画９ａの上まで移動するように、前記移動機構８を制御する。また、前記制御部２は、前記服薬管理用ケース９の画像中の位置決め用マーク１３ａ〜１３ｃの各位置に基づいて、前記服薬管理用ケース９中の各区画９ａの相互の位置関係を特定し、この特定に基づき、各区画９ａ中に配置された裸状の錠剤４ａの数、色又は形状（刻印の形状等を含む）が適正かどうかを、各区画９ａ毎に正確に判定する。
【００４７】
また、本実施形態１において、前記制御部２は、前記カメラ１５から送信された画像から前記位置決め用マーク１３ａ〜１３ｃを認識できないときは、前記服薬管理用ケース９中に前記位置決め用マーク１３ａ〜１３ｃが表示されていない（前記服薬管理用ケース９が不良品又は非正規品である）と判定し、この判定に基づいて、前記取出除包部５、前記移動部７又は前記移動機構８などの作動を停止させる。
【００４８】
次に本実施形態１の動作を図１〜３を参照して説明する。今、患者が調剤薬局に処方箋を持ち込んで調剤を依頼したとすると、調剤薬局側では、処方箋読取部１（図１参照）が当該処方箋を読み取り、この読み取られた処方箋情報が制御部２に送られる。制御部２は、この処方箋情報と前記薬剤データベース１７からの情報とに基づき、患者の一回服用分の薬剤の銘柄及び個数などの情報を取得する。また、これと共に、制御部２は、前記カメラ１５からの画像情報に基づいて、本実施形態１の装置にセットされている服薬管理用ケース９に前記位置決め用マーク１３ａ〜１３ｃが適正に表示されているかどうかを判定する。制御部２は、もし前記セットされている服薬管理用ケース９に位置決め用マーク１３ａ〜１３ｃが表示されていないと判定したときは、前記取出除包部５、前記移動部７又は前記移動機構８などの作動を停止させ、以後の動作を停止する。
【００４９】
他方、制御部２が服薬管理用ケース９に位置決め用マーク１３ａ〜１３ｃが表示されていると判定した場合、制御部２は、前記の処方箋情報から取得された当該患者の一回服用分の薬剤の銘柄及び個数等の情報に基づき、前記取出除包部５を制御して前記一回服用分の薬剤を取り出させる。具体的には、取出除包部５は、図３（ａ）に示すように、前記薬剤保管部３から対応するＰＴＰシート４中の１枚を引き出し（このようなＰＴＰシートの引き出し機構は公知である）、この引き出したＰＴＰシート４中の１つの薬剤を、例えば上方から１つのドーム状凸部（ポケット）の中身を押し出す方法などにより除包し（このようなＰＴＰシートから中身の錠剤を押し出して除包する機構は公知である）、この除包して得られた裸状の錠剤４ａを、図示下方のホッパー６内に落下させる。前記取出除包部５は、以上と同じ動作を、当該一回服用分を構成する全ての錠剤４ａを取り出すまで、繰り返す。これにより、一回服用分を構成する全ての錠剤４ａが、ホッパー６の底蓋６ａ上に集められる（図３（ａ）に示す例では、計５個の錠剤４ａが一回服用分として、前記底蓋６ａ上に配置されている）。
【００５０】
次に、制御部２は、ホッパー６の底蓋６ａに備えられた開閉機構（図示省略）を制御して前記底蓋６ａの中央部分を開口させる（図３（ｂ）の符号６ｃで示す開口部を参照）。すると、前記底蓋６ａ上に集められていた一回服用分を構成する計５個の錠剤４ａの全てが、前記開口部６ｃから、下方の移動部７の容器７ａ内に落下する（図３（ｂ）参照）。
【００５１】
次に、制御部２は、移動機構８を制御して、前記一回服用分（図３（ｂ）に示す例では計５個の錠剤４ａ）が容器７ａ内に落下し配置された移動部７を、服薬管理用ケース９の未だ一回服用分が配置されていない区画９ａの上に移動させる（図３（ｂ）の破線で示す矢印Ａ参照）。その後、制御部２は、前記移動部７の容器７ａの底蓋７ｂの開閉機構（図示省略）を制御してその中央部分を開口させる（図３（ｂ）の７ｃ’で示す開口部を参照）。これにより、前記移動部７の容器７ａの底蓋７ｂ上に配置されていた一回服用分が、前記開口部７ｃ’を介して、服薬管理用ケース９の区画９ａ内に落下・移動し、前記区画９ａ内に配置・収容される（図３（ｂ）の符号４ａ’参照）。前記の取出除包部５、移動機構８及び移動部７は、以上と同じ動作を、前記服薬管理用ケース９の全ての各区画９ａ内にそれぞれ一回服用分が配置されるまで、繰り返す。これにより、服薬管理用ケース９の全ての各区画９ａ内に一回服用分が配置される。
【００５２】
次に、制御部２は、このようにして全ての区画９ａ内に一回服用分が配置された服薬管理用ケース９の画像をカメラ１５から受信し、この画像に基づいて、前述のように、前記服薬管理用ケース９中の各区画９ａ内の一回服用分の薬剤の数や形状等の情報と処方箋情報から得られる一回服用分の薬剤の数や形状等の情報を比較し、一致するときは、前記服薬管理用ケース９の各区画９ａ内に一回服用分の薬剤が適正に配置されたと判定し、前記閉塞機構１８を制御して、前記服薬管理用ケース９の各区画９ａの上方の開口部の全てを、内部の薬剤が出ないように閉塞させる。他方、制御部２は、前記服薬管理用ケース９中の各区画９ａ内の一回服用分の薬剤の数や形状等の情報と処方箋情報から得られる一回服用分の薬剤の数や形状等の情報とが一致しないときは、前記区画９ａ内への一回服用分の移動・配置が適正に行われなかったと判定し、前記アラーム発生部１６を制御してアラームを発生させる。
【００５３】
以上に説明したように、本実施形態１においては、制御部２が、前記取出除包部５を制御して、薬剤収容部３から患者の各一回服用分を順次、除包しつつ取り出し、除包後の裸状の錠剤４ａから成る一回服用分をホッパー６に集めた後、前記移動部７に落下・移動させ、この移動部７内の一回服用分を、順次、前記服薬管理用ケース９中の各区画９ａ内に移動させて落下・配置させる。そして、前記制御部２は、前記服薬管理用ケース９中の各区画９ａの全てについて上記処理が終了した後、前記閉塞機構１８を制御して前記各一回服用分が配置された各区画９ａの開口部をフィルムやシートなどで閉塞するようにしている。よって、本実施形態１によれば、前記各区画９ａ内の全てに一回服用分の薬剤がそれぞれ配置・収容されているため患者が自らの毎回の服薬を容易に管理でき、前記各区画９ａ内の薬剤が外部に出てしまうことがなく、且つ容易に持ち運ぶことができる「お薬剤カレンダー」（前記服薬管理用ケース９の全ての各区画９ａ内に一回服用分の薬剤がそれぞれ配置されているもの）を、自動的かつ効率的に作成することができる。
【００５４】
また、本実施形態１においては、特に、前記取出除包部５が、前記薬剤保管部３に保管された複数のＰＴＰシート中の１枚を引き出して内部の錠剤を除包して裸状の錠剤４ａとして取り出すようにし、この裸状の錠剤４ａを前記服薬管理用ケース９の各区画９ａ内に配置するようにしたので、患者は毎回の服薬をより容易に行うことができる。
【００５５】
また、本実施形態１においては、前記服薬管理用ケース９の各区画９ａの上方が開口され、前記移動部７内の一回服用分の薬剤を、前記各区画９ａの上方から前記開口部を介して各区画９ａ内に落下させるようにしたので、前記取出除包部５により取り出された各一回服用分の前記服薬管理用ケース９の各区画９ａ内への移動及び配置を、極めて効率的に行えるようになる。
【００５６】
また、本実施形態１においては、前記カメラ１５が前記服薬管理用ケース９中の各区画９ａの全てに一回服用分が収容された後の各区画９ａの画像を取得して制御部２に送信するようにし、前記制御部２側では、前記送信された画像から前記各区画９ａ内の薬剤の数及び形状又は銘柄等の情報を取得し、この情報と処方箋情報から得られた各一回服用分の薬剤の数及び形状又は銘柄等の情報とを比較することにより、前記各区画９ａ内に配置・収容された薬剤の適否を各区画９ａ毎に判定できるようにした。よって、本実施形態１では、前記取出除包部５及び移動部７による各一回服用分の前記各区画９ａへの移動及び配置が適正に行われたかどうかをコンピュータで効率的に且つ正確に検査することができ、これによりその後に行われる薬剤師による正式な監査を有効に支援することができる。
【００５７】
また、本実施形態１においては、前記服薬管理ケース９の各区画９ａの裸状の錠剤４ａが配置される底面を黒色（又は裸状の錠剤４ａとのコントラストが大きい色）に形成したので、前記カメラ１５による前記服薬管理ケース９中の各区画９ａ内の鮮明な画像の取得が可能になり、前記制御部２による前記画像から前記各区画９ａ内の裸状の錠剤の数及び形状又は銘柄を正確に取得できるようになる。
【００５８】
また、本実施形態１においては、前記服薬管理用ケース９の複数箇所に、位置決め用マーク１３ａ〜１３ｃ（前記移動機構８に対する位置決め用マークとしても機能できるもの）を表示するようにしたので、前記移動部７による各一回服用分の前記各区画９ａへの移動及び配置を、前記位置決め用マーク１３ａ〜１３ｃを基準にして正確に行えるようになる。また、本実施形態１では、前記服薬管理用ケース９の複数箇所に、前記位置決め用マーク１３ａ〜１３ｃ（前記服薬管理用ケース９内における各区画９ａ相互間の位置関係を特定するための位置決め用マークとして機能できるもの）を表示するようにしたので、制御部２は、各区画９ａ内の薬剤の数及び形状又は銘柄などの情報を取得する際に、前記服薬管理用ケース９の位置決め用マーク１３ａ〜１３ｃを各区画９ａの位置を特定するためのマークとして利用することにより、当該の各区画９ａが前記服薬管理用ケース９中のどの区画かを容易に特定できるようになる。
【００５９】
また、本実施形態１においては、前記服薬管理用ケース９の複数箇所に、前記服薬管理用ケースの位置決め用マーク１３ａ〜１３ｃを表示するようにし、もし服薬管理用ケース９に前記位置決め用マーク１３ａ〜１３ｃが表示されていない場合は、前記制御部２が前記取出除包部５、前記移動部７又は前記移動機構８などを作動させないようにした。これにより、本実施形態１では、「前記位置決めマーク１３ａ〜１３ｃが表示されていない不良品又は非正規品の服薬管理用ケースが装置にセットされたときでも各一回服用分が前記ケースの各区画内に移動・配置されてしまい、その結果、前記ケースの各区画内への一回服用分の移動・配置が不正確に行われてしまうという不都合」が、防止されるようになる。また本実施形態１においては、前記服薬管理用ケース９の複数箇所に、前記位置決め用マーク１３ａ〜１３ｃを表示するようにし、もし服薬管理用ケース９に前記位置決め用マーク１３ａ〜１３ｃが表示されていない場合は、前記制御部２が前記カメラ１５からの画像に基づく前記各区画９ａ内の薬剤の数及び形状等の認識処理、及び／又はこれに基づく前記各区画９ａ内の薬剤の数及び形状等の適正性の判定を行わないようにした。これにより、本実施形態１では、「前記位置決めマーク１３ａ〜１３ｃが表示されていない不良品又は非正規品の服薬管理用ケースが配置されたときでも前記各区画の位置が正確に特定できないまま各区画内の薬剤の数及び形状又は銘柄等が不完全に検査されてしまうという不都合」が、防止されるようになる。
【００６０】
〔第２の実施形態〕
次に本発明の実施形態２に係る薬剤分配システムについて説明する。本実施形態２は前記実施形態１と基本的構成が同一であるので、以下では異なる部分についてのみ説明する。
【００６１】
本実施形態２では、前記実施形態１に関して図２に示した服薬管理用ケース９の任意の箇所に、所定のバーコード（図示省略）が表示されている。前記制御部２は、本実施形態２のシステムに服薬管理用ケースがセットされたとき、前記服薬管理用ケースの上方に配置されたバーコードリーダー部（図示省略）を制御して、前記バーコードを読み取らせ、この読み取られた情報を受信する。その後、前記制御部２は、前記バーコードからの読み取り情報を、予め自らに記録しておいた正規の情報と照合し、合致していれば、前記の取出除包部５、移動部７及び移動機構８などを作動させる。他方、合致していない場合は、前記の取出除包部５、移動部７及び移動機構８などを作動させないようにする。これにより、本実施形態２では、「前記バーコードが表示されていない不良品又は非正規品の服薬管理用ケースが装置にセットされたときでも各一回服用分が前記ケースの各区画内に移動・配置されてしまい、その結果、前記ケースの各区画内への一回服用分の移動・配置が不正確に行われてしまうという不都合」が、防止されるようになる。なお、本実施形態２では、前記バーコードリーダー部を使用しないで、制御部２がカメラ１５（図１参照）で取得した画像からバーコード情報を読み取るようにしてもよい。以上に述べたこと以外の構成及び作用効果は前記実施形態１と同様である。
【００６２】
〔第３の実施形態〕
次に本発明の実施形態３に係る薬剤分配システムについて説明する。本実施形態３は前記実施形態１，２と基本的構成が同一であるので、以下では異なる部分についてのみ説明する。
【００６３】
本実施形態３では、前記実施形態１に関して図２で示された服薬管理用ケース９の任意の箇所に、所定の情報が記録されたＩＣタグ（図示省略）が取り付けられている。制御部２は、本実施形態２のシステムに服薬管理用ケースがセットされたとき、前記服薬管理用ケースの近傍に配置されたＩＣタグリーダー部（図示省略）を制御して、前記ＩＣタグに記録された情報を読み取らせ、読み取った情報を送信させる。その後、前記制御部２は、前記ＩＣタグに記録された情報を、予め自らに記録しておいた正規の情報と照合し、合致していれば、前記の取出除包部５、移動部７及び移動機構８などを作動させる。他方、合致していない場合は、前記の取出除包部５、移動部７及び移動機構８などを作動させないようにする。これにより、本実施形態３では、「前記ＩＣタグが取り付けられていない不良品又は非正規品の服薬管理用ケースが装置にセットされたときでも各一回服用分が前記ケースの各区画内に移動・配置されてしまい、その結果、前記ケースの各区画内への一回服用分の移動・配置が不正確に行われてしまうという不都合」が、防止されるようになる。以上に述べたこと以外の構成及び作用効果は前記実施形態１，２と同様である。
【００６４】
〔第４の実施形態〕
次に本発明の実施形態４に係る薬剤分配システムについて説明する。本実施形態４は前記実施形態１〜３と基本的構成が同一であるので、以下では異なる部分についてのみ説明する。
【００６５】
本実施形態４では、「お薬カレンダー」（各区画内に各一回服用分の薬剤を配置し上方の開口を閉塞した状態のもの）を患者に交付するために使用する服薬管理用ケースの構成が、前記実施形態１などと異なっている。すなわち、本実施形態４における服薬管理用ケース２１は、図４に示すように、図示縦方向に１週間の各曜日に対応する計７個の行、及び図示横方向に朝昼夕３回の２回分の計６個と中央の１個の計７個の列から成る格子状に各区画２１ａが配置されている。このように、本実施形態４では、服薬管理用ケース２１中の各区画２１ａが合計で２週間分、含まれている（なお、図４では、服薬管理用ケース２１はあくまで見本として示しているだけであるため、前記各区画内に配置されている錠剤の個数は各区画２１ａ毎にバラついたままで表示している）。よって、本実施形態４によるときは、患者は、１つの服薬管理用ケース２１を使用することで、２週間という長期間、容易に服薬管理を行うことができるようになる。以上に述べたこと以外の構成及び作用効果は前記実施形態１〜３と同様である。
【００６６】
〔第５の実施形態〕
次に本発明の実施形態５に係る薬剤分配システムについて説明する。本実施形態５は前記実施形態１〜４と基本的構成が同一であるので、以下では異なる部分についてのみ説明する。
【００６７】
本実施形態５では、図５（ａ）に示すように、一回服用分がそれぞれ配置される各区画２５ａを備えた服薬管理用ケース２５の縁部の２箇所に、それぞれ位置決め用の凹部（又は切欠き）２６ａ，２６ｂが形成され、さらにその近傍の２箇所に位置決め用の穴（貫通穴でもよい）２６ｃ，２６ｄが形成されている。他方、この服薬管理用ケース２５が載置される本実施形態５に係る装置の架台２７（この架台２７は図１の移動機構８に対して予め位置決めされている）には、前記凹部（又は切欠き）２６ａ，２６ｂが配置されるべき位置にそれぞれポール２８ａ，２８ｂが立設・固定されている。また、前記架台２７には、前記穴（貫通穴）２６ｃ，２６ｄが配置されるべき位置にそれぞれ前記穴２６ｃ，２６ｄが入る突起２８ｃ，２８ｄが設けられている。
【００６８】
したがって、前記服薬管理用ケース２５を架台２７にセット（載置）する場合、ユーザー（薬剤師）は、図５（ｂ）に示すように、前記服薬管理用ケース２５を、前記各凹部（又は切欠き）２６ａ，２６ｂの中に前記各ポール２８ａ，２８ｂがそれぞれ挿入されるように、また前記各穴（貫通穴）２６ｃ，２６ｄの下方に前記各突起２８ｃ，２８ｄがそれぞれ入り込むように、配置する。これにより、前記服薬管理用ケース２５が前記架台２７及び移動機構８に対して正確に位置決めされ、その結果、前記移動部７及び移動機構８による各一回服用分の薬剤の前記服薬管理用ケース２５の各区画２５ａ内への移動・配置が極めて正確に行われるようになる。
【００６９】
また、本実施形態５では、前記各ポール２８ａ，２８ｂ及び突起２８ａ，２８ｄが設けられた所定位置に前記服薬管理用ケース２５の各凹部（又は切欠き）２６ａ，２６ｂ及び各穴２６ｃ，２６ｄが配置されているかどうかを検知する凹部等検知部（図示省略。例えば光センサ又はカメラ１５などの画像センサなどで構成される）が備えられている。前記制御部２は、前記凹部等検知部からの出力に基づいて、前記各所定位置に前記服薬管理用ケース２５の各凹部（又は切欠き）２６ａ，２６ｂ及び各穴２６ｃ，２６ｄが適正に配置されていると判定したときは、前記の取出除包部５、移動部７及び移動機構８などを作動させる。他方、前記制御部２は、前記凹部等検知部からの出力に基づいて、前記各所定位置に前記服薬管理用ケース２５の各凹部（又は切欠き）２６ａ，２６ｂ及び各穴２６ｃ，２６ｄが適正に配置されていないと判定したときは、前記の取出除包部５、移動部７及び移動機構８などを作動させないようにする。これにより、本実施形態４では、「前記凹部（又は切欠き）２６ａ，２６ｂ及び前記穴２６ｃ，２６ｄが備えられていない不良品又は非正規品の服薬管理用ケースが装置にセットされたときでも各一回服用分が前記ケースの各区画内に移動・配置されてしまい、その結果、前記ケースの各区画内への一回服用分の移動・配置が不正確に行われてしまうという不都合」が、防止されるようになる。
【００７０】
なお、本実施形態５では、前記服薬管理用ケース２５を前記架台２７及び移動機構８に対して正確に位置決めするため、及び前記制御部２が不良品又は非正規品の服薬管理用ケースが装置にセットされているかどうかを検知するための構成として、前記服薬管理用ケース２５の縁部などの位置に前記凹部（又は切欠き）２６ａ，２６ｂ及び／前記穴２６ｃ，２６ｄを備える構成を採用したが、本発明では、これに代えて、服薬管理用ケースの縁部などの位置に所定の凸部を形成する（これと同時に服薬管理用ケース２５を載せる架台２７の側には前記凸部を受ける凹部を備えておく）という構成を採用するようにしてもよい。以上に述べたこと以外の構成及び作用効果は前記実施形態１〜４と同様である。
【００７１】
〔第６の実施形態〕
次に本発明の実施形態６に係る薬剤分配システムを図６を参照して説明する。本実施形態６は前記実施形態１〜５と基本的構成が同一であるので、以下では異なる部分についてのみ説明する。
【００７２】
図６（ａ）において、３２はホッパー３１（図１の６参照）の下方に配置される分配パイプである。この分配パイプ３２は、前記ホッパー３１の下側開口部３１ａから自重により落下する複数個の錠剤４ａを、分配パイプ３２の上端部側の導入口３２ａから順次受け入れ、自らの内部を下降・通過させた後、下端部側の排出口３２ｂから服薬管理用ケース３４中の各区画３５ａ内に順次、排出、供給するものである。前記分配パイプ３２は、例えばゴムホースなどのような可とう性を有する管により構成されている。前記分配パイプ３２の下端部（排出口３２ｂ）は、移動機構（図１の８参照）により、服薬管理用ケース３４に備えられた全ての各区画３５ａの上方に、順次、移動される（図６（ａ）の矢印Ａ，Ｂ，Ｃなど参照）。
【００７３】
本実施形態６では、制御部２は、前記取出除包部５（図１参照）がＰＴＰシート４から各一回服用分に含まれる錠剤４ａを取り出す前に、前記分配パイプ３２の下端部（排出口３２ｂ）を、移動機構８（図１参照）により、服薬管理用ケース３４中の所定の各区画３５ａの上方まで移動（水平移動）させる。そうすると、図６（ａ）の符号３２に示すように、前記分配パイプ３２の上端の導入口３２ａは前記ホッパー３１の下側開口部３１ａに対向近接するように配置されたまま、前記分配パイプ３２の下端部側の排出口３２ｂ及びその近傍部分だけが前記服薬管理用ケース３４の区画３５ａ上に対向配置される。その上で、制御部２は、前記取出除包部５を作動させて、ＰＴＰシート４から一回服用分に含まれる各錠剤４ａを順次除包しつつ取り出し、順次、ホッパー３１内に落下させる。すると、このホッパー３１内に落下した裸状の錠剤４ａは、順次、自重によりホッパー３１の底部（開口部３１ａ）から分配パイプ３２内を下降・通過し、分配パイプ３２の下端部の排出口３２ｂから服薬管理用ケース３４中の前記各区画３５ａ内に落下・移動する。制御部２は、以上の動作を、前記服薬管理用ケース３４中の全ての区画３５ａについて、順次繰り返す（図６の矢印Ａ，Ｂ，Ｃ、符号３２，３２’，３２’’、及び符号３５，３５ａ’，３５ａ’’などを参照）。これにより、前記服薬管理用ケース３４中の全ての区画３５ａ内に、一回服用分の薬剤がそれぞれ配置される。
【００７４】
その後、制御部２は、前述のようにして全ての区画３５ａに各一回服用分の薬剤が配置されると、前記閉塞機構１８（図１参照）を制御して、前記服薬管理用ケース３４中の全ての区画３５ａの上方の開口部に対して閉塞シートを付着又は貼り付ける。これにより、服薬管理用ケース３４中の全ての区画３５ａが塞がれ、各区画３５ａから内部の薬剤が出てしまうことが防止される。
【００７５】
なお、本実施形態６では、前記分配パイプ３２の下端部（排出口３２ｂの近傍部分）の外周面側に、図６（ｂ）に拡大して示すような跳ね防止板３３を備えるようにしている。前記跳ね防止板３３は、服薬管理用ケース３４の各凹状の区画３５ａの上方に対向するように（例えば略リング状に）形成されている。この跳ね防止板３３により、図６（ｃ）に示すように、前記分配パイプ３２の下端の排出口３２ｂから前記服薬管理用ケース３４の各凹状区画３５ａ内に落下した錠剤４ａが前記区画３５ａから上斜め方向に飛び跳ねて前記区画３５ａの外に跳び出してしまうことが防止される（図６（ｃ）の矢印α及びβを参照）。以上に説明したこと以外の構成及び作用効果については、前記実施形態１〜５と同様である。
【００７６】
〔第７の実施形態〕
次に本発明の実施形態７に係る薬剤分配システムについて説明する。本実施形態７は前記実施形態６と基本的構成が同一であるので、以下では異なる部分についてのみ説明する。
【００７７】
本実施形態７では、前記実施形態６で説明した図６の分配パイプ３２（可能とう性はあるが伸縮性のないパイプ）に代えて、図７に示すように、蛇腹管又は弾性管などのような可とう性及び伸縮性を有する管から成る分配パイプ４２を採用している。このような分配パイプ４２を使用する場合は、前記移動機構８が前記分配パイプ４２の下端部の排出口４２ｂを服薬管理用ケース４４の各区画４５ａ上に順次移動させると、図６の符号４２，４２’，及び４２’’に示すように、前記分配パイプ４２の上端の導入口４２ａは前記ホッパー４１の下側開口部４１ａに対向近接するように配置されたまま、前記分配パイプ４２中の下端の排出口４２ｂ及びその近傍部分だけがスムーズに前記各区画４５ａ，４５ａ’，４５ａ’’の上を順次移動（水平移動）するようになる（図６の矢印Ａ，Ｂ，Ｃ参照）。以上に述べたこと以外の構成及び動作については前記実施形態６と同様であるので説明を省略する。
【００７８】
以上、本発明の各実施形態について説明したが、本発明は前記の各実施形態１〜７として述べたものに限定されるものではなく、様々な修正及び変更が可能である。例えば、前記各実施形態１〜７においてはいずれも、服薬管理用ケースとして、各区画が１週間分又は２週間分の列又は行及び朝昼夕の行又は列を有する略格子状に配置され且つ各区画が患者から見て水平方向に配置された服薬管理用ケース９，２１，２５，３４，４４を使用したが、本発明ではこれに限られるものではなく、例えば図９で示すように各区画（各一回服用分の薬剤が配置される部分としての凹部又はポケットなどの各区画）が患者から見て縦方向（上下方向）に配置された服薬管理用ケースを使用するようにしてもよい。このような服薬管理用ケースを使用する場合でも、移動機構を患者から見て縦方向に略格子状に移動させるように構成し、閉塞機構を各区画毎に開口部を閉塞シートなどで閉塞するように構成することにより本発明を実現することができる。また、前記実施形態１〜７においてはいずれも、服薬管理用ケースとして、各一回服用分の薬剤を配置する各区画が一方向に朝、昼及び夕の３個ずつ並ぶものを示したが、本発明では、各一回服用分の薬剤を配置する各区画が一方向に朝、昼、夕及び夜の４個ずつ並ぶものであってもよい。なお、前記実施形態１などでは前記服薬管理用ケース９の各区画９ａ内に一回服用分の薬剤を配置した後に前記各区画９ａの開口部を自動的に閉塞する閉塞機構１８を備えるようにしたが、本発明はこれに限られるものではなく、前記閉塞機構１８を備えないで、例えば薬剤師の監査が行われた後などに、薬剤師などが閉塞用シートを使用して手作業で前記各区画９ａの開口部を閉塞するようにしてもよい。
【符号の説明】
【００７９】
１    処方箋読取部
２    制御部
３    薬剤保管部
４    ＰＴＰシート
４ａ  裸状の錠剤
５    取出除包部
６，３１，４１     ホッパー
６ａ  ホッパーの底蓋
６ｃ  ホッパーの底蓋の開口部
７    移動部
７ａ  移動部の容器
７ｂ  移動部の底蓋
７ｃ’  移動部の底蓋の開口部
８    移動機構
９，２１，２５，３４，４４      服薬管理用ケース
９ａ，２１ａ，２５ａ，３５ａ，４５ａ  区画
９ａ，９ｂ   仕切板
１３ａ〜１３ｃ     位置決め用マーク
１５  カメラ
１６  アラーム発生部
１７  薬剤データベース
１８  閉塞機構
２６ａ，２６ｂ     凹部（切欠き）
２６ｃ，２６ｄ     穴（貫通穴）
２７  架台
２８ａ，２８ｂ     ポール
２８ｃ，２８ｄ     突起
３１ａ，４１ａ     ホッパーの下側開口部
３２，４２   分配パイプ
３２ａ，４２ａ     分配パイプの導入口
３２ｂ，４２ｂ     分配パイプの排出口
３３  跳ね防止板
【図１】
2017093708.tif 000003
【図２】
2017093708.tif 000004
【図３】
2017093708.tif 000005
【図４】
2017093708.tif 000006
【図５】
2017093708.tif 000007
【図６】
2017093708.tif 000008
【図７】
2017093708.tif 000009
【図８】
2017093708.tif 000010
【図９】
2017093708.tif 000011